【手続補正書】
【提出日】平成20年5月28日(2008.5.28)
【手続補正１】
【補正対象書類名】特許請求の範囲
【補正対象項目名】全文
【補正方法】変更
【補正の内容】
【特許請求の範囲】
【請求項１】
原稿を載置するための原稿台と、
前記原稿台へと原稿を搬送するための搬送ベルトと、
前記原稿台上に載置された原稿の画像を読み取る画像読取手段と、
前記搬送ベルトの主走査方向におけるたわみに起因する画像ムラを補正するための、主走査位置に対応した第１補正係数を記憶する記憶手段と、
前記記憶手段に記憶された第１補正係数に基づいて、読み取られた前記画像に含まれる、前記搬送ベルトの主走査方向におけるたわみに起因する画像ムラを低減する画像ムラ低減手段と
を含むことを特徴とする画像読取装置。
【請求項２】
前記記憶手段には、前記搬送ベルトの副走査方向における先端部または後端部が前記原稿台から浮いてしまうことで発生する画像ムラを補正するための、副走査位置に対応した第２補正係数が記憶されており、
前記画像ムラ低減手段は、前記記憶手段に記憶された第１補正係数に基づいて、読み取られた前記画像に含まれる、前記搬送ベルトの主走査方向におけるたわみに起因する画像ムラを低減し、前記記憶手段に記憶された第２補正係数に基づいて、前記搬送ベルトの副走査方向における先端部または後端部が前記原稿台から浮いてしまうことで発生する画像ムラを低減することを特徴とする請求項１に記載の画像読取装置。
【請求項３】
前記第１補正係数及び第２補正係数は、前記画像の副走査位置と主走査位置との組ごとに１つの補正係数として前記記憶手段に記憶されていることを特徴とする請求項２に記載の画像読取装置。
【請求項４】
前記画像ムラ低減手段による低減処理の実行か非実行かを制御する制御手段をさらに含むことを特徴とする請求項１ないし３のいずれか１項に記載の画像読取装置。
【請求項５】
前記画像ムラ低減手段による低減処理の実行か非実行かの指示を前記制御手段に入力するための入力手段をさらに含むことを特徴とする請求項４に記載の画像読取装置。
【請求項６】
前記原稿の種類を検知する検知手段をさらに含み、
前記制御手段は、検知された前記原稿の種類に応じて、前記画像ムラ低減手段による低減処理の実行か非実行かを切り替えることを特徴とする請求項４に記載の画像読取装置。
【請求項７】
前記画像ムラ低減手段は、
前記記憶手段に記憶されている一部の主走査位置に対応した前記第１補正係数と前記記憶手段に記憶されている一部の副走査位置に対応した前記第２補正係数とに基づいて他の副走査位置の補正係数を算出する算出手段
をさらに含むことを特徴とする請求項２に記載の画像読取装置。
【請求項８】
前記原稿の種類に応じて、前記算出手段により算出された補正係数を調整する調整手段をさらに含むことを特徴とする請求項７に記載の画像読取装置。
【手続補正２】
【補正対象書類名】明細書
【補正対象項目名】０００７
【補正方法】変更
【補正の内容】
【０００７】
本発明によれば、原稿を載置するための原稿台と、前記原稿台へと原稿を搬送するための搬送ベルトと、前記原稿台上に載置された原稿の画像を読み取る画像読取手段と、前記搬送ベルトの主走査方向におけるたわみに起因する画像ムラを補正するための、主走査位置に対応した第１補正係数を記憶する記憶手段と、前記記憶手段に記憶された第１補正係数に基づいて、読み取られた前記画像に含まれる、前記搬送ベルトの主走査方向におけるたわみに起因する画像ムラを低減する画像ムラ低減手段とを含むことを特徴とする画像読取装置が提供される。
【手続補正３】
【補正対象書類名】明細書
【補正対象項目名】０００９
【補正方法】変更
【補正の内容】
【０００９】
［第１の実施形態］
図１は、実施形態に係る画像読取装置の概略断面図である。原稿自動搬送ユニット１０１は、画像読取ユニット１０２に対して原稿を給送する。原稿トレイ１０３は、原稿１０４を載置するユニットである。原稿トレイ１０３に載置された原稿１０４は、一番上の原稿から順にピックアップローラ１０５により給紙される。搬送ローラ１０６は、ピックアップローラ１０５により給紙された原稿を画像読取ユニット１０２へと搬送する。
【手続補正４】
【補正対象書類名】明細書
【補正対象項目名】００１１
【補正方法】変更
【補正の内容】
【００１１】
原稿読み取りユニット１０２において、１１４は原稿を照明するための光源である。１１５は、光源１１４の光を効率よく原稿に照射するための反射笠である。１１６は原稿からの反射光を受ける第１ミラーである。１１８は第２ミラーである。１１９は第３ミラーである。１２１はレンズである。１２２は、ＣＣＤラインセンサである。ここで光源１１４、反射笠１１５、および第１ミラー１１６を第１ミラーユニット１１７と称す。また、第２ミラー１１８および第３ミラー１１９を第２ミラーユニット１２０と称す。
【手続補正５】
【補正対象書類名】明細書
【補正対象項目名】００１２
【補正方法】変更
【補正の内容】
【００１２】
第１ミラーユニット１１７および第２ミラーユニット１２０は、図１に示す矢印方向に移動することにより、原稿全面を２次元的に読み取るようになっている。この矢印方向が、いわゆる副走査方向となっている。なお、原稿または原稿台平面において、副走査方向に対して直交する方向が、いわゆる主走査方向である。第１ミラー１１６による原稿反射光は、第２ミラー１１８、第３ミラー１１９により折り返され、レンズ１２１を通して、ＣＣＤラインセンサ１２２に入射される。
【手続補正６】
【補正対象書類名】明細書
【補正対象項目名】００１３
【補正方法】変更
【補正の内容】
【００１３】
原稿自動搬送ユニット１０１により原稿台ガラス１１３上に載置された原稿は、光源１１４、反射笠１１５により照明される。原稿から反射された光は、第１ミラー１１６、第２ミラー１１８、および第３ミラー１１９により順次折り返され、レンズ１２１を通して、ＣＣＤラインセンサ１２２に入射する。
【手続補正７】
【補正対象書類名】明細書
【補正対象項目名】００２１
【補正方法】変更
【補正の内容】
【００２１】
ＣＣＤラインセンサ１２２に原稿１０４からの反射光が入射すると、ＣＣＤラインセンサ１２２は、入射光量に応じた画像信号をアナログ処理回路５０２に出力する。アナログ処理回路５０２は、入力された画像信号をサンプリングし、オフセット補正を実行し、さらにゲイン補正を実行する。アナログ処理回路５０２により信号処理されたアナログ画像信号は、ＡＤ変換回路５０３においてデジタル画像データに変換される。デジタル画像データが入力されるシェーディング補正回路５０４は、たとえば、ＣＣＤラインセンサ１２２における画素ごとの感度のバラツキ、原稿照明ランプとしての光源１１４の配光、および光学レンズ１２１の端部光量の劣化を補正する。
【手続補正８】
【補正対象書類名】明細書
【補正対象項目名】００２２
【補正方法】変更
【補正の内容】
【００２２】
補正係数テーブル５０６は、図４に示したような搬送ベルト１０７に起因する画像ムラを補正するため補正係数が記憶されている。すなわち、補正係数テーブル５０６には、副走査位置と主走査位置との各組にそれぞれ対応した補正係数が記憶されている。換言すれば、画素ごとの補正係数が補正係数テーブル５０６に記憶されているといえる。乗算回路５０５は、シェーディング補正回路５０４から出力されるデジタル画像信号と、補正係数テーブル５０６から出力される補正係数とを乗算する。補正係数テーブル５０６は、たとえば、１ライン単位で補正係数を更新して出力するようになっている。これは、読取レベルの補正が、１ライン単位で実行されることを意味する。このようにして、搬送ベルト１０７の副走査方向におけるたわみと主走査方向におけるたわみ等に起因する画像ムラを低減できる。
【手続補正９】
【補正対象書類名】明細書
【補正対象項目名】００３７
【補正方法】変更
【補正の内容】
【００３７】
このように、第２の実施形態では、補正係数テーブルを記憶するために必要となる記憶容量を減らすために、副走査補正係数演算回路７０２、主走査補正係数演算回路７０４が追加されている。副走査補正係数テーブル７０３には、図２Ｃに示す第１の画像ムラを低減するための副走査補正係数が記憶されている。一方、主走査補正係数テーブル７０５には、図３Ｃに示す第２の画像ムラを低減するための主走査補正係数が格納されている。
【手続補正１０】
【補正対象書類名】明細書
【補正対象項目名】発明の名称
【補正方法】変更
【補正の内容】
【発明の名称】画像読取装置